(57)【要約】【課題】キーボード等の情報入力部を有する本体部に対し、各種情報を表示する情報表示部が開閉可能に設けられた携帯型情報処理装置において、操作性に優れたチルト機構を組み込んだ構成を提供する。【解決手段】本発明の携帯型情報処理装置は、情報を入力する入力部２ａを具備した本体部２と、この本体部２に対して開閉可能に設けられ、各種情報を表示する表示部３ａを具備した開閉部材３と、この開閉部材３を本体部２に対して回動可能に連結させる回動機構５と、本体部２を、水平面に対して回動機構側が揺動可能となるように支持する支持部材９とを有し、回動機構５と支持部材９との間には、開閉部材３が本体部２に対して所定角度回動した後、本体部２の回動機構側を水平面に対して上昇させるチルト機構が設けられている。【選択図】　　図２
2004029988.tif 000002
【特許請求の範囲】
【請求項１】
情報を入力する入力部を具備した本体部と、
この本体部に対して開閉可能に設けられ、各種情報を表示する表示部を具備した開閉部材と、
この開閉部材を前記本体部に対して回動可能に連結させる回動機構と、
前記本体部を、水平面に対して回動機構側が揺動可能となるように支持する支持部材とを有し、
前記回動機構と支持部材との間には、前記開閉部材が本体部に対して所定角度回動した後、前記本体部の回動機構側を水平面に対して上昇させるチルト機構が設けられていることを特徴とする携帯型情報処理装置。
【請求項２】
前記支持部材は、前記開閉部材が本体部に対して最大開放位置に回動された際、前記開閉部材の表示部側の表面が、水平面に対して１３５度〜１４５度の範囲内のいずれかの角度となるように、前記本体部を支持することを特徴とする請求項１に記載の携帯型情報処理装置。
【請求項３】
前記回動機構は、前記開閉部材が本体部に対して最大開放位置に回動された際、前記開閉部材を、前記本体部の表面と開閉部材の表示部側の表面との間の角度が１５０度〜１７０度の範囲内のいずれかの角度となるように保持することを特徴とする請求項２に記載の携帯型情報処理装置。
【請求項４】
前記チルト機構は、前記開閉部材の回動に伴って回動すると共に、前記支持部材に形成された係合部に係合する回動部材を備えており、
前記係合部には、前記開閉部材が本体部に対して所定角度回動した後、前記回動部材を本体部の上昇方向に沿って移動可能に案内する案内部が形成されていることを特徴とする請求項１乃至３のいずれか１項に記載の携帯型情報処理装置。
【請求項５】
前記回動機構は、前記本体部に設けられた円筒状の保持体と、前記開閉部材と一体回転すると共に前記保持体内で回転可能な回転体とを有しており、
前記チルト機構の回動部材は、前記回転体の回転中心に対してオフセットして設けられたピン状の部材であることを特徴とする請求項４に記載の携帯型情報処理装置。
【請求項６】
前記保持体と回転体との間には、回動付勢バネが配設されており、前記開閉部材を常時開く方向に付勢していることを特徴とする請求項５に記載の携帯型情報処理装置。
【請求項７】
前記本体部と開閉部材との間には、開閉部材が本体部に対して重なるように保持すると共に、この保持状態を開放するロック機構が設けられていることを特徴とする請求項１乃至６のいずれか１項に記載の携帯型情報処理装置。
【請求項８】
前記本体部は、前記入力部が設けられた表面が、水平面に対して傾斜するように形成されていることを特徴とする請求項１乃至７のいずれか１項に記載の携帯型情報処理装置。
【請求項９】
前記支持部材は、前記本体部の下面と載置面との間に位置する介在部を備えており、この介在部には、駆動電源を収容する収容部が設けられていることを特徴とする請求項１乃至８のいずれか１項に記載の携帯型情報処理装置。
【請求項１０】
少なくとも電話機能、及び画像情報の閲覧機能を有する携帯型情報処理装置であって、
情報を入力する入力部を具備した本体部と、
この本体部に対して開閉可能に設けられ、前記画像情報を表示する表示部を具備した開閉部材と、
この開閉部材を前記本体部に対して回動可能に連結させる回動機構と、
前記本体部を、水平面に対して回動機構側が揺動可能となるように支持する支持部材とを有し、
前記回動機構は、電話機能を使用する場合、前記開閉部材の表示部側の表面を本体部の表面に対して所定角度θ１となるように保持し、
前記支持部材は、閲覧機能を使用する場合、前記本体部を水平面に載置した状態で、開閉部材の表示部側の表面を水平面に対し所定角度θ２となるように支持し、
前記角度θ１は、角度θ２よりも大きくなるように設定されることを特徴とする携帯型情報処理装置。
【請求項１１】
前記角度θ１と、角度θ２の差は、５度〜３５度の範囲内で定められることを特徴とする請求項１０に記載の携帯型情報処理装置。
【請求項１２】
前記回動機構と支持部材との間には、前記開閉部材が本体部に対して所定角度回動した後、前記本体部の回動機構側を水平面に対して上昇させるチルト機構が設けられていることを特徴とする請求項１０又は１１に記載の携帯型情報処理装置。
【発明の詳細な説明】
【０００１】
【発明の属する技術分野】
本発明は、情報を入力する入力部を具備した本体部と、この本体部に対して開閉可能に設けられ、各種情報を表示する表示部とを備えた携帯可能な情報処理装置に関する。
【０００２】
【従来の技術】
従来、上記した携帯可能な情報処理装置に、表示部の視認性、及びキーボード等に代表される入力部の操作性の向上を図るべく、使用時において、本体部後方を上昇させるチルト機構を設けた構成が知られている。
【０００３】
このチルト機構は、様々な構成が知られており、例えば、特開２０００−４７７５５号には、脚片をカードスロット内に収容しておき、必要に応じて脚片を取り出して本体部の底面に装着し、これにより本体部の後方を上昇させるように構成した携帯型情報端末が開示されている。また、特開２００２−１０８５０６号には、本体部に、携帯時に把持されるハンドルを回動可能に設け、実際の使用時には、ハンドルを回動させてチルトスタンドにすることで本体部の後方を上昇させるように構成したノート型パーソナルコンピュータが開示されている。
【０００４】
【発明が解決しようとする課題】
しかし、上記したような従来のチルト機構は、使用時には、本体部に対して脚片の装着、或いはハンドルを回動し、不使用時には、装着された脚片を本体部から取り外してカードスロットに収容、或いはハンドルを回動する等の操作が必要とされ、取扱いが不便である。
【０００５】
また、地上波デジタル放送が普及するに連れ、携帯電話としての機能に加え、テレビ番組や、Ｗｅｂブラウザにより、インターネットを介して受信されるＷｅｂコンテンツ（テキスト、画像、動画、ゲームプログラム、アプリケーションプログラム等の各種のコンテンツ等（画像情報と総称する）を受信できる機能を備えた携帯型情報端末も研究、開発されているが、このような小型の情報端末の場合、手に持った状態の通話機能と、卓上（水平面）等に置いた状態の閲覧機能が要求される。
【０００６】
しかし、従来の携帯端末の構成では、これら両方の機能を、操作性良く実現することが困難であると共に、このような携帯端末においても、チルト機構を組み込んだ場合、より操作性に優れた構成にすることが望まれている。すなわち、従来の携帯電話では、本体部に対して、液晶画面等を備えた開閉部材を開く構成の場合、両者の開き角度は、顔のラインに沿うように略１６０度程度に設定されているが、このような構成の携帯電話を、そのまま卓上に載置した場合、液晶画面を閲覧するには、角度が開き過ぎて、閲覧し難いか、もしくは安定性が悪いという問題がある。
【０００７】
本発明は、上述した問題に基づいて成されたものであり、キーボード等の情報入力部を有する本体部に対し、各種情報を表示する情報表示部が開閉可能に設けられた携帯型情報処理装置において、操作性に優れたチルト機構を組み込んだ構成を提供することを目的とする。
【０００８】
また、本発明は、電話としての機能に加え、画像情報を受信できる機能を備えた携帯型情報処理装置において、両者の機能を操作性良く行える構成を提供することを目的とする。
【０００９】
【課題を解決するための手段】
上記した目的を達成するために、本発明の携帯型情報処理装置は、情報を入力する入力部を具備した本体部と、この本体部に対して開閉可能に設けられ、各種情報を表示する表示部を具備した開閉部材と、この開閉部材を前記本体部に対して回動可能に連結させる回動機構と、前記本体部を、水平面に対して回動機構側が揺動可能となるように支持する支持部材とを有しており、前記回動機構と支持部材との間には、前記開閉部材が本体部に対して所定角度回動した後、前記本体部の回動機構側を水平面に対して上昇させるチルト機構が設けられていることを特徴とする。
【００１０】
上記した携帯型情報処理装置は、表示部を具備した開閉部材が、本体部に対して回動機構を介して開閉自在に設けられている。このような携帯型情報処理装置を卓上等、水平面に載置して作動状態にすべく開閉部材を開くと、その回動動作に伴い、チルト機構を介して、本体部は、それを支持している支持部材の支持点を中心に回動機構側が上昇する。すなわち、開閉部材が開いた状態になると同時に、本体部の回動機構側が上昇することから、本体部の入力部が操作者側に傾斜して入力部の操作性が向上する。
【００１１】
また、上記した目的を達成するために、本発明は、少なくとも電話機能、及び画像情報の閲覧機能を有する携帯型情報処理装置であって、情報を入力する入力部を具備した本体部と、この本体部に対して開閉可能に設けられ、前記画像情報を表示する表示部を具備した開閉部材と、この開閉部材を前記本体部に対して回動可能に連結させる回動機構と、前記本体部を、水平面に対して回動機構側が揺動可能となるように支持する支持部材とを有しており、前記回動機構は、電話機能を使用する場合、前記開閉部材の表示部側の表面を本体部の表面に対して所定角度θ１となるように保持し、前記支持部材は、閲覧機能を使用する場合、前記本体部を水平面に載置した状態で、開閉部材の表示部側の表面を水平面に対し所定角度θ２となるように支持し、前記角度θ１は、角度θ２よりも大きくなるように設定されることを特徴としている。
【００１２】
上記した携帯型情報処理装置では、電話機能を使用する場合、操作者は、主に本体部を把持し開閉部材に内蔵されたスピーカ部分に耳を当てるが、このような操作では、回動機構により、開閉部材は本体部に対して角度θ１となるに設定される。また、画像情報を閲覧する場合、操作者は、本体部を卓上等、水平面に載置し、開閉部材を開いた状態にするが、この際、支持部材により、開閉部材は水平面に対して角度θ２となるように設定される。そして、前記角度θ１を、角度θ２よりも大きくなるように設定することで、携帯電話として使用する際にその操作が最も行い易く、かつ画像情報を閲覧する際に開閉部材の表示部が水平面に対し最も閲覧し易くなる。
【００１３】
【発明の実施の形態】
以下、本発明に係る携帯型情報処理装置の一実施の形態を添付図面に沿って具体的に説明する。なお、以下に説明する実施の形態では、電話機能、及び各種の画像情報を閲覧できる機能を有する携帯端末を例示して説明する。
【００１４】
図１及び図２は、携帯型情報処理装置１（以下、携帯端末）を示す図であり、それぞれ閉じた状態と開いた状態（使用状態）を示している。
携帯端末１は、その表面部に、電話番号など、各種の情報を入力するキーボードのような入力部２ａを具備した本体部２と、この本体部２に対して開閉可能に設けられ、各種の画像情報を表示する液晶等によって構成された表示部３ａを具備した開閉部材３とを有している。前記本体部２には、携帯電話として使用する場合、音声を入力するマイク２ｂが設けられており、前記開閉部材３には、音声が出力されるスピーカ３ｂが設けられている。また、開閉部材３には、画像情報と共に音声情報が出力される一対のスピーカ３ｃ、及びＣＣＤ撮影素子３ｄ等が設けられている。
【００１５】
なお、入力部２ａは、必要に応じて、表示部３ａに表示された表示内容をスクロールしたり、表示されたボタンのクリック等を行えるようなものであっても良く、その構成、配置、機能等、携帯端末の用途に応じて適宜変更される。
【００１６】
前記本体部２、及び開閉部材３は、端部同士が回動機構５によって連結されており、開閉部材３を本体部２に対して閉じると、本体部２の手前側に設けられ、前記マイク２ｂを内蔵した操作部７が露出するようになっている。また、本体部２には、この本体部を揺動可能となるように支持する支持部材９が係合しており、前記回動機構５と支持部材９との間には、開閉部材３が本体部２に対して所定角度回動した後、更に回動すると、本体部２の回動機構側を水平面（載置面）に対して上昇させるチルト機構１０が設けられている。
【００１７】
前記回動機構５は、図２〜図４に示すように、本体部２の端部に設けられ、所定間隔おいて同軸上に設けられた一対の円筒状の保持体５ａと、開閉部材３に設けられ、保持体５ａ間に位置する中間支持部５ｂ及び保持体５ａの両外側に位置する外側支持部５ｃとを有しており、各保持体５ａ内には、内部で回転可能な円筒状の回転体５ｄが配設されている。この場合、回転体５ｄには、中間支持部５ｂに嵌合する非円形の嵌合突部５ｅが形成されており、中間支持部５ｂは、回転体５ｄと一体回転するように構成されている。また、回転体５ｄ内には、回転体５ｄの底面と保持体５ａの底面との間に、回動付勢バネ５ｆが配設されており、中間支持部５ｂ（開閉部材３）を、常時、開く方向に付勢している。そして、開閉部材３は、その基端縁が本体部２に当て付いた状態で回動位置が規制されるようになっている。
【００１８】
本実施の形態では、上記した回動機構５は、開閉部材の基端縁が本体部２に当て付いて開閉部材３が最大限開いた状態、すなわち、携帯電話として使用する場合、本体部２の表面と開閉部材３の表示部３ａ側の表面との間の成す角θ１（図１３参照）が、１５５度になるように設定されている。この角度θ１は、通話のときに最適となるように選択されるが、通話用のマイク２ｂ及びスピーカ３ｂの取付け位置、或いは本体部２及び表示部３ａの長さの比によって変わり得るものであり、９０度〜１８０度の範囲で選択される。なお、図に示すように、開閉部材３が本体部２に対して重なるように折り曲げられ、通話用のマイク２ｂ及びスピーカ３ｂが、夫々の端部に配置されているような構成では、一般人の顔のラインに沿って最も使用し易い角度、具体的には１５０度〜１７０度の範囲内で設定しておくことが好ましい。
【００１９】
前記本体部２と開閉部材３との間には、開閉部材３が本体部２に対して重なるように保持すると共に、この保持状態を解除するロック機構８が設けられており、このロック機構８は、前記本体部２に設けられた操作部７を押圧操作することで駆動されるようになっている。以下、図５及び図６を参照して、ロック機構について説明する。
【００２０】
本体部２の前端内部の表面には、シャフト８ａが配設されており、このシャフト８ａには、一対のアーム８ｂが回動可能に装着されている。各アーム８ｂの先端側には、前記操作部７が一体的に形成されていると共に、その中間位置には、操作部７を押し込み操作した際、アーム８ｂによって押圧される押圧体８ｃが係合している。この押圧体８ｃには、シャフト８ａに隣接配置されたシャフト８ｄによって回動可能に支持されると共に、開閉部材３の前端部に形成された係合凹所８ｅに係合される一対の爪部材８ｆが一体的に形成されている。そして、この押圧体８ｃは、本体部２の前端内部の表面に配設された付勢バネ８ｇによって、図中、シャフト８ｄの回りを常時時計回り方向（爪部材８ｆが係合凹所８ｅに常時係合する方向）に付勢されている。
【００２１】
上記したロック機構８の構成によれば、図６（ａ）に示したロック状態から、操作部７を押し込み操作することで、図６（ｂ）に示すように、アーム８ｂが押圧体８ｃを付勢バネ８ｇの付勢力に抗して押し込み、爪部材８ｆを反時計回り方向に回動させる。そして、更に、操作部７を押し込むことで、爪部材８ｆと係合凹所８ｅとの係合関係が外れ、開閉部材３は、図６（ｃ）に示すようにロックが解除される。
【００２２】
上述したように、本実施の形態では、回動機構５には、回動付勢バネ５ｆが組み込まれていることから、両者の係合が外れると、開閉部材３は自動的に最大開放位置に回動される。すなわち、携帯端末１に、このようなロック機構８、及び上記したような回動付勢バネ５ｆを備えた回動機構５を組み込んでおくことで、操作部７を押し込み操作するだけの単一操作により、画像閲覧状態にすることができ、その操作性の向上が図れる。なお、開閉部材３を閉じる場合、開閉部材３の係合凹所８ｅの下方に形成された曲面８ｈが、爪部材８ｆの表面に形成された曲面８ｋに当接し、爪部材８ｆを付勢バネ８ｇの付勢力に抗して反時計回り方向に回動させることで、爪部材８ｆは係合凹所８ｅに係合可能となり、両者は、図６（ａ）に示す保持状態になる。
【００２３】
次に、上記した本体部２を揺動可能となるように支持する支持部材９と、チルト機構１０について説明する。
支持部材９は、チルト機構１０と協働して、開閉部材３が本体部２に対して所定角度回動した後、更に回動することで、本体部２の回動機構側が水平面（載置面）に対して上昇できるように、本体部２を載置面に支持する部材である。本実施形態の支持部材９は、図１及び図７に示すように、本体部２の両サイドの後方側に沿って装着されるサイドプレート９ａと、本体部２の下面と載置面との間に位置する介在部９ｂとを備えた全体として略コの字形状を成しており、本体部２は、その中間部の下方で、支持点Ｓによって回動可能となるように支持されている。
【００２４】
そして、上記した回動機構５と支持部材９との間には、開閉部材３が本体部２に対して所定角度回動した後、実際に本体部２の回動機構側を水平面に対して上昇させるチルト機構１０が配設されている。チルト機構１０は、前記開閉部材３の回動に伴って回動すると共に、この回動作用を利用して、前記支持部材９によって支持されている本体部２を、支持点Ｓを中心に上昇させる回動部材を備えている。
【００２５】
この回動部材は、図８に示すように、前記開閉部材３の回動と共に一体回動する外側支持部５ｃの端面に、その回転中心Ｘに対して、オフセットして設けられたピン状部材１２によって構成されており、前記サイドプレート９ａには、ピン状部材１２が係合すると共に、開閉部材３の回動と共に移動できるよう円弧状の溝１３が形成されている。
【００２６】
この円弧状の溝１３は、開閉部材３が閉じた際、水平側面視で、ピン状部材１２が略１２時方向に位置すると共に、開閉部材３が略直角位置まで開いた際、略３時方向で突き当たるような角度の円弧状の案内部１３ａを備えている。また、この円弧状の溝１３には、そのような案内部１３ａの他に、開閉部材３が略直立した位置から更に回動した際、ピン状部材１２を上昇方向に案内するように、上昇方向に沿った案内部１３ｂが形成されている。
【００２７】
上記したように構成される支持部材９、及びチルト機構１０の作用について説明する。
図９に示すように、携帯端末１を水平面Ｐに載置した状態で、操作部７を押し込み操作すると、上記したロック機構が外れ、開閉部材３が本体部２に対して開き始める。このとき、最初、溝１３内で、略１２時方向に位置しているピン状部材１２は、開閉部材３の回動動作に伴って、図１０に示すように、案内部１３ａに沿って移動する。
【００２８】
そして、開閉部材３が、本体部２に対して略直角の位置まで回動すると、図１１に示すように、ピン状部材１２は、溝１３の案内部１３ａの下端部（略３時方向）に当て付く。ここからさらに開閉部材３が回動しようとすると、その回動方向の力は、支持部材９がＰ１で支持されていることから、図１２の矢印に示すように、ピン状部材１２を上方に傾斜した案内部１３ｂに沿って上昇させようとする。すなわち、ピン状部材１２が矢印方向に上昇することで、ピン状部材１２が設けられている回動機構５も同方向の力を受け、結果として、図１３に示すように、本体部２は、支持点Ｓを中心に回動機構５側が上昇する。
【００２９】
このように、支持部材９、及びチルト機構１０によって、開閉部材３が最大開放位置に開くと、本体部２の回動機構側が上昇することから、携帯端末１を設置状態としたときに入力部２ａの操作が行い易くなる。また、支持部材９は、チルト機構１０と協働して開閉部材３が最大開放位置となったとき、本体部２の回動機構側を上昇させることから、水平面Ｐに対して開閉部材３の表示部３ａ側の面までの角度θ２が、前記角度θ１よりも小さい角度で保持されるようになっている。この場合、両者の角度差は、１度〜９０度の範囲内に設定されれば良いが、特に、携帯電話としての通話機能、及び画像閲覧機能の両機能が使い勝手良く実現できるように、５度〜３５度の範囲内で定めることが好ましい。
【００３０】
具体的に、本実施形態の構成では、上記した角度θ２は、一般的な卓上に載置した状態で表示部３ａで表示される画像情報が見易いように１４５度となるように設定されている。なお、角度θ２は、携帯端末を水平面に置いて画像、動画等のコンテンツを閲覧するときに最適な状態となるように選択すれば良いが、これは、水平面とユーザの目の高さによっても変わり得る。一般的な使用態様を考慮すると、９０度〜１６０度の範囲内で定めるのが良く、特に、１３５度〜１４５度の範囲内のいずれかの角度となるように、支持部材９及びチルト機構１０を構成しておくことが好ましい。
【００３１】
そして、開閉部材３を閉じると、上記した工程と逆の工程により図９に示した初期状態に戻ることから、チルト機構を解除するための特別な操作が必要とされることもない。
【００３２】
以上、本発明の実施形態について説明したが、上述した実施形態において、チルト機構１０を構成するピン状部材１２及び溝１３は、図７に示すように、蓋部材１５によって閉塞しておくことが見栄え上好ましい。また、支持部材９に形成されている介在部９ｂには、駆動電源を収容する収容部２０を設けておくことが好ましい。このような収容部２０を設けておくことで、開閉部材３を開いたときに、本体部２の下方に重量物が位置するため、水平面Ｐに設置した際の状態の安定化が図れるようになる。また、本体部２は、入力部２ａが設けられている表面が、水平面に対して傾斜する（回動機構側に向けて次第に上昇する）ように形成されていることが好ましい。このように、本体部２の表面が予め傾斜していることで、水平面Ｐに設置してチルト機構によって本体部の回動機構側が上昇した際に、入力部２ａの操作が行い易くなる。
【００３３】
また、上述した支持部材９、チルト機構１０等の構成については、適宜変形することが可能である。例えば、支持部材９は、本体部２から露出するように設けられているが、その一部が本体部に組み込まれていても良いし、チルト機構を構成している案内部が形成された溝形状については、開閉部材３の開閉角度、チルトアップする量等に応じて、適宜変形することが可能である。
【００３４】
さらに、本発明は、上述した携帯端末以外にも、ノートブック型、ラップトップ型、ハンドヘルド型、タブレット型のパーソナルコンピュータや、ＰＤＡ（Ｐｅｒｓｏｎａｌ　Ｄａｔｅ　Ａｓｓｉｓｔａｎｔ）、電子辞書、電卓、ページャ、電子ブック、携帯型音楽再生機、ラジオ等、電話機能を備えていない各種の携帯型情報処理装置に適用することが可能である。
【００３５】
【発明の効果】
以上、本発明によれば、携帯型情報処理装置を水平面に載置して、開閉部材を開く動作をした際、この回動動作に伴ってチルト機構が駆動されて本体部の入力部が上昇することから、操作性に優れたチルト機構を組み込んだ携帯型情報処理装置が得られるようになる。また、本発明によれば、電話機能及び画像情報を受信できる機能を備えた携帯型情報処理装置において、両者の機能を操作性良く扱える構成が得られるようになる。
【図面の簡単な説明】
【図１】本発明に係る携帯型情報処理装置の一例を示す図であり、開閉部材を閉じた状態を示す斜視図。
【図２】図１に示す携帯型情報処理装置の開閉部材を開いた状態を示す斜視図。
【図３】回動機構の構成を示す分解斜視図。
【図４】回動機構における本体部の保持体と、開閉部材と一体回転する回転体との係合状態を示す部分断面図。
【図５】開閉部材を本体部に対してロックするロック機構の構成を示す図。
【図６】（ａ）〜（ｃ）を含み、夫々、ロック機構の動作を順に説明する図。
【図７】本体部を支持する支持部材の構成を示す斜視図。
【図８】チルト機構の部分を拡大して示す斜視図。
【図９】本体部に対して開閉部材を閉じた状態を示す側面図。
【図１０】本体部に対して開閉部材が少し開いた状態を示す側面図。
【図１１】本体部に対して開閉部材が略直角に開いた状態を示す側面図。
【図１２】本体部に対して開閉部材がさらに開き、本体部がチルトアップする状態を示す図。
【図１３】本体部に対して開閉部材が最大開放位置に開き、本体部がチルトアップした状態を示す図。
【符号の説明】
１　携帯端末（携帯型情報処理装置）
２　本体部
２ａ　入力部
３　開閉部
３ａ　表示部
５　回動機構
７　操作部
８　ロック機構
９　支持部材
１０　チルト機構
【図１】
2004029988.tif 000003
【図２】
2004029988.tif 000004
【図３】
2004029988.tif 000005
【図４】
2004029988.tif 000006
【図５】
2004029988.tif 000007
【図６】
2004029988.tif 000008
【図７】
2004029988.tif 000009
【図８】
2004029988.tif 000010
【図９】
2004029988.tif 000011
【図１０】
2004029988.tif 000012
【図１１】
2004029988.tif 000013
【図１２】
2004029988.tif 000014
【図１３】
2004029988.tif 000015